(57)【要約】本発明は、ボルトまたはナットと係合するソケット（３）を備えたソケット部（２）を有するソケットレンチ（１）に関する。ソケット部（２）は、通常より長いボルトに対応可能な開口部（４）を具備する。ソケット部（２）は、ハンドル（６）に取り付けられたヒンジ（５）を具備し、このハンドルはボルトまたはナットを締めまたは緩めるときのレバーアームを構成する。ハンドル（６）の第２の端部にはヒンジ部（５）を有するソケット部（２）または同様のナットレンチ（９）が取り付けられる。【選択図】図８
2004509779.tif 000002
【特許請求の範囲】
【請求項１】
ボルトまたはナットと係合するソケット（３）を備えたソケット部（２）およびヒンジ（５）を有し、ボルトまたはナットを締めまたは緩めるときに、レバーアームを構成するハンドル（６）と組み合わさって作用し、ハンドル（６）はその第１の端部（７）にヒンジの片方（５）が嵌装され、第２のヒンジの片方（５）を有するソケット部（２）との組合わせで作用するソケットレンチであって、ハンドル（６）がその第２の端部（８）においてヒンジ（５）およびソケット部（２）または他の形状のナットレンチ（９）を嵌合することを特徴とするソケットレンチ。
【請求項２】
ソケット部（２）のヒンジ（５）がラインＣ−Ｃ上に位置することを特徴とする請求項１に記載の装置。
【請求項３】
ソケット部（２）がソケット（３）および貫通孔（４）またはＵ字型貫通プロファイル（１１）を有することを特徴とする先行するいずれかの請求項に記載の装置。
【請求項４】
ソケット（３）がナットまたはボルトを休止させるためのリベート（１０）を有することを特徴とする請求項３の装置。
【請求項５】
ソケット部（２）が、代わりにラインＥ−Ｅに沿ってヒンジ（５）を、ソケット部（２）の各側面に一つずつ有し得ることを特徴とする請求項３または４に記載の装置。
【請求項６】
ハンドル（６）がヒンジ（５）またはソケット部（２）との組合わせで作用することを特徴とする先行するいずれかの請求項に記載の装置。
【請求項７】
ヒンジ（５）に対するフォーク型保持具（１５）を備えたＵ字型縦型プロファイル（形状）（１４）が、ヒンジ（５）またはソケット部（２）との組合わせで作用することを特徴とする請求項６に記載の装置。
【請求項８】
クランク状に曲げられた端部（１６）を備えたＵ字型縦型プロファイル（形状）（１４）が、ヒンジ（５）またはソケット部（２）との組合わせで作用することを特徴とする請求項６に記載の装置。
【発明の詳細な説明】
【０００１】
【発明の属する技術分野】
本発明は、ボルトまたはナットと係合するソケットと、ボルトまたはナットを締め付けまたは緩める際のレバーアームとなるハンドルとを備えたソケット部を具備し、前記ハンドルはその第１端部にヒンジの片方（ｈｉｎｇｅ ｈａｌｆ）が取り付けられ、その上部でヒンジの片方に取り付けられたソケット部との組合せで作用するソケットレンチに関する。本発明はさらに、ハンドルの第２端部にヒンジで結合された第２のソケット部またはハンドルの第２端部に取り付けられた他のナットレンチ等に関する。
【０００２】
【従来の技術】
ソケットレンチ類は、ヒンジ具を用いない場合にはアクセスが困難なネジ込み式のジョイントにおいてボルトまたはナットを締め付けるためまたは緩めるために使用される。市販のソケットレンチ類は、ボルトまたはナットと係合するソケットを有する。ソケットは、ソケット部のソケット上にヒンジを備えたソケット部にあり、ソケット部はヒンジに取り付けられたハンドルに適合し、ハンドルはネジ込み式ジョイントにおいてボルトまたはナットを締め付けるか緩めるときにはレバーとなる。
ソケットレンチの欠点は、ソケット部の頂部にヒンジがあることであり、そのためにソケット部のソケットの深さよりもネジ切り部の長さが大きいボルトまたはナットを締め付けまたは緩める能力が制限される点にある。
【０００３】
【課題を解決するための手段】
本発明の目的は、ソケット部の深さが、ボルトの長さや位置に関してネジ込み式ジョイントの構成を制限しないソケットレンチを提供することである。
これは、以下に記載するように、ソケット部がソケットの反対側で開口しているタイプのソケットレンチ手段によって達成される。
【０００４】
本発明の別の目的は、ネジ込み式ジョイントまたはネジ込み式パイプジョイントに側方から適用し得るように、ハンドルのプロファイル（形状）（形状）がソケット部のプロファイル（形状）（形状）を助けるソケットレンチを提供することにある。
このようなソケット部およびハンドルプロファイル（形状）を有するソケットレンチは、より複雑なネジ込み式ジョイントの使用を可能にするものであり、既存の複雑なネジ込み式ジョイントに対し、完全なまたは部分的な分解を必要とせずに、ソケットレンチを適用することができる。
【０００５】
【発明の実施の形態】
添付図面に示す実施態様を参照して本発明をより詳細に説明する。
【０００６】
図１は本発明によるソケットレンチを示す。ソケットレンチ１は、ネジ込み式ジョイントにおいてボルトまたはナットと係合するソケット３を備えたソケット部２を含む。ソケット部２は、ハンドル６の第１の端部７にヒンジ部５により取り付けられる。このように、ボルトもしくはナットを締めるもしくは緩める場合またはネジ込み式ジョイントを作るか解消する場合、ハンドル６は、ソケットレンチ１のためのレバーアームを構成する。ヒンジ部５によりハンドル６の第２の端部８にはソケット部２が取り付けられる。これにより、従来のソケットレンチでは不可能な位置からでも、ネジ込み式ジョイント内のナットまたはボルトにソケットレンチ１を適用することが可能になる。
【０００７】
図２は、ソケットレンチ１がヒンジ部５を備えたソケット部２を含む本発明によるソケットレンチの外観を示す。ソケット部２には、図２の実施態様では実質的に環状の貫通孔（ｔｈｒｏｕｇｈ ｈｏｌｅ）４として示される１つの開口部が備わっている。この貫通孔４は、ソケット部２上、ラインＢ−Ｂと交差する（従来のソケットレンチではここにヒンジ部が位置する）。また、ヒンジ部５は、ラインＣ−Ｃと交差し、これは、ヒンジ部５およびハンドル６と組み合わさってソケット部２にユニークな特徴を与える（図ｌ参照）。しかし、ナットレンチ９では、ハンドル６の第２の端部８が別の形状を表わすことも可能である。
【０００８】
図３は、図２中のラインＡ−Ａで本発明によるソケット部を通る断面図である。ヒンジ部をソケット部のラインＣ−Ｃ上に配置することにより、ソケット部２のソケット３の上に貫通孔を設け、ネジ込み式ジョイントのナットまたはボルトが休止可能なリベート１０を提供する。ソケット部２のソケット３上に貫通孔４を設けることにより、ハンドル６とソケット部２の間の角度に関係なく、ネジ込み式ジョイントの長いネジ切り部がラインＢ−Ｂに沿ってソケット部２を通ることが可能になる（図１参照）。
【０００９】
図４は本発明によるソケット部２を示す。ソケット部２には、開口部が設けられており、これは、図に示す実施態様では実質的にＵ字型の貫通プロファイル（形状）１１を表わす。Ｕ字型の貫通プロファイル（形状）１１は、エンベロープ表面においてポイント１２と１３間にギャップ（間隙）を設けることにより形成され、これによって、ネジ込み式パイプジョイント、ネジ込み水力継手などにソケット部２を適用することが可能になる。Ｕ字型の貫通プロファイル（形状）１１は、ソケット部２のラインＢ−Ｂと交差する（従来のソケットレンチでは、ヒンジ部はここに位置する）。ヒンジ部５は、ラインＣ−Ｃと交差し、これは、ヒンジ部５およびハンドル６と組み合わさったソケット部２にユニークな特性を付与する（図１参照）。
【００１０】
図５は、本発明によるソケット部を図２中のラインＡ−Ａで通る断面図である。ソケット部５をソケット部２のラインＣ−Ｃ上に配置することより、ソケット部２のソケット３上にＵ字型の貫通プロファイル（形状）１１を位置させ、ネジ込み式ジョイントのナットまたはボルトが休止可能なリベート１０を提供する。ソケット部２のエンベロープ表面１２、１３内の開口部は、リベート１０と組み合わさって、長いネジ、パイプなどに側方からソケット部２を適用し、リベート１０上に休止するナットを把持する能力を提供する。ソケット部２のソケット３上のＵ字型の貫通プロファイル（形状）１１を設けることで、ハンドル６とソケット部２の間の角度に関係なく、ネジ込み式ジョイントの長いネジ切り部がラインＢ−Ｂに沿ってソケット部２を通ることを可能にする（図１参照）。
【００１１】
図６は本発明によるソケットレンチを示す。ソケットレンチ１はソケット部２を含み、これは、ネジ込み式ジョイントのボルトまたはナットと係合するソケット３を与える。ソケット部２は、ヒンジ部５によりハンドル６の第１の端部７に取り付けられる。この結果、ボルトもしくはナットを締めるか緩める場合またはネジ込み式ジョイントを作るか解消する場合、ハンドル６は、ソケットレンチ１のためのレバーアームを構成する。ハンドル６はその縦方向にＵ字型プロファイル（形状）１４を備えている（ラインＤ−Ｄによる断面図参照）。同様のソケット部２が、ハンドルの第２の端部８に、ヒンジ部５によって取り付けられ、従来はソケットレンチでは不可能だった位置からでもネジ込み式ジョイントのナットまたはボルトにソケットレンチ１が適用できるようになる。
【００１２】
図７は、本発明によるソケットレンチの外観を示す。ソケット部２には、開口部が設けられており、これは、図に示す実施態様では実質的にＵ字型の貫通プロファイル（形状）１１を表わす。Ｕ字型の貫通プロファイル（形状）１１は、エンベロープ表面においてポイント１２と１３間にギャップ（間隙）を設けることにより形成され、それによって、ネジ込み式パイプジョイント、ネジ込み水力継手などにソケット部２を適用することが可能になる。ソケット部２の各側面にはラインＥ−Ｅに沿って２つのヒンジ部５が１つずつ設けられており、ソケット部２およびハンドル６のＵ字型プロファイル（形状）１４との組合わせで作用する。ハンドル６の第１の端部７には、フォーク型の保持具１５が設けられ、これは２つのヒンジ部５と組み合わさってソケット部２を保持する。しかし、ナットレンチ９では、ハンドル６の第２の端部８が別の形状を表わすことも可能である。
【００１３】
図８は、本発明によるハンドル６、ヒンジ部５、およびソケットレンチのソケット部２を示す。ハンドル６は、Ｕ字型の縦長プロファイル（形状）１４（ラインＤ−Ｄでの断面図参照）、およびヒンジ部を保持するクランク状に曲げられた端部１６を備えソケット部２との組合わせで作用する。
【００１４】
ソケット部２およびハンドル６は、鍛造または鋳造により必要なときには加工して作ることができる。図に示す実施態様では、ヒンジ５は鋼ピンで作られている。しかし、ヒンジ５はネジ込み式ジョイントなどのように、他の方法によって作ることもできる。
【図面の簡単な説明】
【図１】図１は、ソケット部、ヒンジ部およびハンドルを備えた本発明によるソケットレンチを示す説明図である。
【図２】図２は、ソケット部、ヒンジ部およびハンドルを備えた本発明によるソケットレンチの外観を示す説明図である。
【図３】図３は、図２中のラインＡ−Ａでの断面を示す断面図である。
【図４】図４は、図４は、開いたソケット部、ヒンジ部およびハンドルを備えた本発明によるソケットレンチの外観を示す説明図である。
【図５】図５は、図２中のラインＡ−Ａでの断面図である。
【図６】図６は、開いたソケット部、ヒンジ部、およびＵ字型ハンドルプロファイル（形状）を備えた本発明によるソケットレンチ（ラインＤ−Ｄでの断面を有する）を示す説明図である。
【図７】図７は、開いたソケット部、ヒンジ部、およびＵ字型ハンドルプロファイル（形状）を備えた本発明によるソケットレンチを示す説明図である。
【図８】図８は、ソケット部、ヒンジ部、およびＵ字型プロファイル（形状）およびクランク状に曲げられた端部を有するハンドルを備えた、本発明によるソケットレンチを示す説明図である。
【図９】図９は、図７中のラインＡ−Ａでの断面図である。
【符号の説明】
１　ソケットレンチ
２　ソケット部
３　ソケット
４　貫通孔
５　ヒンジ部
６　ハンドル
７　第１の端部
８　第２の端部
９　ナットレンチ
１０　リベート
１１　貫通プロファイル（形状）
１２　エンベロープ表面
１４　Ｕ字型縦長プロファイル（形状）
１５　保持具
１６　端部
【国際公開パンフレット】
2004509779.tif 000003
2004509779.tif 000004
2004509779.tif 000005
2004509779.tif 000006
2004509779.tif 000007
2004509779.tif 000008
2004509779.tif 000009
2004509779.tif 000010
2004509779.tif 000011
2004509779.tif 000012
2004509779.tif 000013
2004509779.tif 000014
2004509779.tif 000015
2004509779.tif 000016
2004509779.tif 000017
【国際公開パンフレット（コレクトバージョン）】
2004509779.tif 000018
【手続補正書】
【提出日】平成14年12月17日(2002.12.17)
【手続補正１】
【補正対象書類名】明細書
【補正対象項目名】全文
【補正方法】変更
【補正の内容】
【発明の詳細な説明】
【書類名】明細書
【発明の名称】Ｕ字型ハンドルに軸着された開口ソケットを備えたレンチ
【特許請求の範囲】
【請求項１】ボルトまたはナットと係合するソケット（３）およびレバーアームを構成するハンドル（６）の第１の端部（７）との組合わせで作用する１または２個のヒンジを備えたソケット部（２）を設けたソケットレンチであって、
ソケット部（２）がスロット（１２，１３）で分割されたジャケット面と、リベート（１０）を形成するソケット（３）よりも小さい貫通孔（１１）を有し、ハンドル（６）が長さ方向にＵ字型の断面形状を有し、上げた状態でソケット部を貫通するボルトを取り囲み、下げた状態でレバーアームを構成することを特徴とするソケットレンチ。
【請求項２】ハンドルの第１の端部（７）が、分岐型ジョイント（１５）を備え、ソケット部（２）が２個のヒンジ部（５）をソケット部（２）の側面に各々一つずつ有することを特徴とする請求項１に記載のソケットレンチ。
【請求項３】ハンドルの第１の端部（７）がクランク形状の端部（１６）を有し、ソケット部（２）がその中央外側に１個のヒンジ部（５）を備えていることを特徴とする請求項１に記載のソケットレンチ。
【請求項４】ハンドル（６）が、第２の端部（８）にソケット部（２）または補助的なナットレンチ（９）を備えていることを特徴とする請求項１乃至３のいずれかに記載の請求項に記載のソケットレンチ。
【発明の詳細な説明】
【０００１】
【発明の属する技術分野】
本発明は、ボルトまたはナットと係合するソケットと、ボルトまたはナットを締め付けまたは緩める際のレバーアームとなるハンドルとを備えたソケット部を具備し、前記ハンドルはその第１端部にヒンジの片方（ｈｉｎｇｅ ｈａｌｆ）が取り付けられ、その上部でヒンジの片方に取り付けられたソケット部との組合せで作用するソケットレンチに関する。本発明はさらに、ハンドルの第２端部にヒンジで結合された第２のソケット部またはハンドルの第２端部に取り付けられた他のナットレンチ等に関する。
【０００２】
【従来の技術】
ソケットレンチ類は、ヒンジ具を用いない場合にはアクセスが困難なネジ込み式のジョイントにおいてボルトまたはナットを締め付けるためまたは緩めるために使用される。市販のソケットレンチ類は、ボルトまたはナットと係合するソケットを有する。ソケットは、ソケット部のソケット上にヒンジを備えたソケット部にあり、ソケット部はヒンジに取り付けられたハンドルに適合し、ハンドルはネジ込み式ジョイントにおいてボルトまたはナットを締め付けるか緩めるときにはレバーとなる。
ソケットレンチの欠点は、ソケット部の頂部にヒンジがあることであり、そのためにソケット部のソケットの深さよりもネジ切り部の長さが大きいボルトまたはナットを締め付けまたは緩める能力が制限される点にある。
【０００３】
【課題を解決するための手段】
本発明の目的は、ソケット部の深さが、ボルトの長さや位置に関してネジ込み式ジョイントの構成を制限しないソケットレンチを提供することである。
これは、以下に記載するように、ソケット部がソケットの反対側で開口しているタイプのソケットレンチ手段によって達成される。
【０００４】
本発明の別の目的は、ネジ込み式ジョイントまたはネジ込み式パイプジョイントに側方から適用し得るように、ハンドルのプロファイル（形状）がソケット部のプロファイル（形状）を助けるソケットレンチを提供することにある。
このようなソケット部およびハンドルプロファイルを有するソケットレンチは、より複雑なネジ込み式ジョイントの使用を可能にするものであり、既存の複雑なネジ込み式ジョイントに対し、完全なまたは部分的な分解を必要とせずに、ソケットレンチを適用することができる。
【０００５】
【発明の実施の形態】
添付図面に示す実施態様を参照して本発明をより詳細に説明する。
【０００６】
図１は本発明によるソケット部（２）を示す。図に示す態様では、ソケット部（２）に、実質的にＵ字型に貫通するプロファイル（外形）（１１）で示される開口が設けられている。Ｕ字型の貫通プロファイル（１１）は、エンベロープ面のポイント（１２）とポイント（１３）の間のギャップ（間隙）として形成され、これによってソケット部（２）がネジ込み式パイプジョイント、ネジ込み式水力ジョント等に適用可能になる。Ｕ字型の貫通プロファイル（１１）は、ソケット部（２）のラインＢ−Ｂと交差しているが、従来のソケットレンチではその交差箇所にヒンジが設けられている。ヒンジ部（５）はラインＣ−Ｃと交差しているが、これにより、ソケット部（２）にヒンジ（５）とＵ字型プロファイルのハンドル（６）との組み合わせでユニークな特性を付与する。
【０００７】
図２は、本発明によるソケットレンチを示す。ソケットレンチ（１）はソケット部（２）を含み、ソケット部（２）はネジ込み式ジョイントのボルトまたはナットと係合するソケット（３）を備えている。ソケット部（２）は、ヒンジ部材（５）によりハンドル（６）の第１の端部（７）に取り付けられている。従って、ハンドル（６）は、ネジ込み結合したり解消したりする際にボルトやナットを締め付けまたは緩めるときに、ソケットレンチ（１）用のレバーアームを構成する。ハンドル（６）は、その長さ方向にＵ字型の縦断面（プロファイル）（１４）を備えている（Ｄ−Ｄ断面図参照）。ハンドルの第２の端部（８）には、同様のソケット部（２）がヒンジ部材（５）により取り付けられている。これにより、従来のソケットレンチでは不可能であった位置からネジ込み式ジョイントのナットまたはボルトにソケットレンチ（１）が適用できるようになる。
【０００８】
図３は、本発明によるソケットレンチを示す。ソケット部（２）には、図に示す態様では、実質的にＵ字型の貫通プロファイル（１１）で示される開口が備えている。Ｕ字型の貫通プロファイル（１１）は、エンベロープ面のポイント（１２）とポイント（１３）の間にギャップ（間隙）として形成され、これによってソケット部（２）がネジ込み式パイプジョイント、ネジ込み式水力ジョント等に適用可能になる。ラインＥ−Ｅに沿って、２個のヒンジが、ソケット部（２）の各側面に一つずつ、ソケット部（２）とハンドル（６）のＵ字型のプロファイル（１４）との組合わせで作用するように設けられている。ハンドル（６）の第１の端部（７）には、２個のヒンジ部（５）との組合わせでソケット部（２）を保持するため分岐状のジョイント（１５）が設けられている。しかし、ハンドル（６）の第２の端部（８）は、ナットレンチ（９）の形の他の具体例とすることも可能である。
【０００９】
図４は本発明によるソケットレンチのハンドル（６）、ヒンジ部（５）およびソケット部（２）を示す。ハンドル（６）は長さ方向にＵ字型のプロファイル（１４）を備えており（ラインＤ−Ｄ断面参照）、ソケット部（２）との組合せで作用するようにヒンジを保持するクランク形状の端部（１６）を備えている。ソケット部（２）およびハンドル（６）は、鍛造または鋳造により必要なときには加工して作ることができる。図に示す実施態様では、ヒンジ（５）は鋼ピンで作られている。しかし、ヒンジ（５）はネジ込み式ジョイントなどのように、他の方法によって作ることもできる。
【図面の簡単な説明】
【図１】図１は、開口ソケット部、ヒンジおよびＵ字型プロファイルを有するハンドルを備えた本発明によるソケットレンチを示す外観図である。
【図２】図２は、開口ソケット部、ヒンジおよびＤ−Ｄ断面がＵ字型プロファイルのハンドルを備えた本発明によるソケットレンチを示す説明図である。
【図３】図３は、開口ソケット部、ヒンジおよびＵ字型プロファイルを有するハンドルを備えた本発明によるソケットレンチを示す説明図である。
【図４】図４は、ソケット部、ヒンジ部およびＵ字型プロファイルとクランク形状の端部を有するハンドルを備えた本発明によるソケットレンチを示す説明図である。
【図５】図５は図３のＡ−Ａ断面図である。
【符号の説明】
１　ソケットレンチ
２　ソケット部
３　ソケット
５　ヒンジ
６　ハンドル
７　第１の端部
８　第２の端部
９　ナットレンチ
１０　リベート
１１　貫通穴（プロファイル）
１２，１３　スロット（エンベロープ表面）
１４　断面Ｕ字型の縦長プロファイル
１５　分岐ジョイント
１６　端部
【手続補正２】
【補正対象書類名】図面
【補正対象項目名】全図
【補正方法】変更
【補正の内容】
【図１】
2004509779.tif 000019
【図２】
2004509779.tif 000020
【図３】
2004509779.tif 000021
【図４】
2004509779.tif 000022
【図５】
2004509779.tif 000023
【国際調査報告】
2004509779.tif 000024
2004509779.tif 000025
2004509779.tif 000026